(57)【要約】【課題】液晶画面サイズの大型化に伴い薄型化を図るためにはバックライトを構成する蛍光管の本数も増え、例え１本の蛍光管が不点灯となった場合でも、視聴中であれば部分的な輝度変化として蛍光管不点灯の不具合を確認可能であるが、電源オン時に既に不点灯であったり、電源オン時の過渡状態で蛍光管が不点灯となった場合には蛍光管の不具合を確認し難いという課題がある。【解決手段】無闇に蛍光管駆動回路を強制的にオフすることを回避し、故障個所のみの不点灯処理をすることで、ユーザーが安心して視聴可能とするとともに、蛍光管故障の故障履歴を記録し、必要に応じて履歴情報をＯＳＤに表示することを提供するものである。【選択図】　図１
2004053988.tif 000002
【特許請求の範囲】
【請求項１】
複数の蛍光管を有し表示装置の背面から照明するバックライト装置を有する表示装置であって、各蛍光管を駆動する複数の蛍光管駆動回路と、各蛍光管の故障を検出する複数の故障検出回路と、蛍光管の故障情報を記録するメモリとを具備し、蛍光管の故障発生時に故障蛍光管を特定する情報を該メモリに記録することを特徴とする表示装置。
【請求項２】
蛍光管の故障を検出すると該当する蛍光管駆動回路のみをオフすることを特徴とする請求項１に記載の表示装置。
【請求項３】
カレンダー機能を有する時計部を具備し、蛍光管の故障発生時に故障蛍光管を特定する情報とその故障発生日時を特定する情報を該メモリに記録することを特徴とする請求項１又は２に記載の表示装置。
【請求項４】
該メモリに記録する故障情報は、故障蛍光管を特定する情報とその故障発生日時であることを特徴とする請求項３に記載の表示装置。
【請求項５】
該メモリに記録する故障情報は、故障蛍光管を特定する情報とその故障発生からの経過時間であることを特徴とする請求項３に記載の表示装置。
【請求項６】
リモコンシステムと、リモコン及びまたは表示装置本体上の故障履歴呼び出しボタンと、テキスト及びまたはキャラクタなどを表示するＯＳＤ表示回路を具備し、該故障履歴呼び出しボタン操作にて表示装置に少なくとも故障蛍光管を特定できる情報及び又は故障発生の日時を特定できる情報を表示することを特徴とする請求項１乃至５に記載の表示装置。
【発明の詳細な説明】
【０００１】
【発明の属する技術分野】
本発明は、複数の蛍光管を有し表示装置の背面から照明するバックライト装置を有する表示装置に関するものである。
【０００２】
【従来の技術】
液晶テレビの直下型バックライト装置では、画面のサイズにほぼ等しい長さの直管ランプを画面に対して水平又は垂直方向に置き、上記のランプを画面の後側に適当なピッチで並列配置することで直下型バックライト装置を構成している。
【０００３】
直下型バックライト装置では、複数本あるランプのうち１本が不点灯に到ると、そのランプ部分のみ暗くなり液晶画面を視聴する上で弊害になる。またランプが不点灯のまま使用し続けると、回路部品の加熱・高圧放電等様々な問題が発生し製品にダメージを与える恐れがある。
【０００４】
以上の理由から、従来から製品保護の目的でランプ保護回路を設け、少なくとも１本のランプが不点灯もしくは異常を来たしたときに製品自体の電源が切れる設計を採用している。
【０００５】
【発明が解決しようとする課題】
しかしながら、液晶画面サイズの大型化に伴いバックライトのランプ長も大型化される方向であるが、大型化されるほどランプ自体とバックライトの均斉度と品質や性能を維持するのが難しくなる。
【０００６】
ランプの不点灯には様々な要因があり、ランプが割れる、ランプハーネスが切れる等一目で判断できる要因の他にもランプ単品の不具合やバックライト構造のバラツキによる不点灯など直ぐに判断できない要因も存在する。
【０００７】
液晶画面サイズの大型化に伴い薄型化を図るためにはバックライトを構成する蛍光管の本数も増え、例え１本の蛍光管が不点灯となった場合でも、視聴中であれば部分的な輝度変化として蛍光管不点灯の不具合を確認可能であるが、電源オン時に既に不点灯であったり、電源オン時の過渡状態で蛍光管が不点灯となった場合には蛍光管の不具合を確認し難いという課題がある。
【０００８】
これは、どのランプにいつ異常が発生したのか等の判断が難しいことから修理サービスにおいてもサービス効率の低下の一因になっている。
【０００９】
また、従来のランプ保護回路は複数本の蛍光管のうち少なくとも１本の蛍光管が不点灯に到ると保護回路がマイコンに情報を伝え、製品の電源を切る仕組みが一般的であり、１本の蛍光管の不点灯でも視聴ができなくなることになる。
【００１０】
本発明は、上記課題に鑑みてなされたものであり、無闇に蛍光管駆動回路を強制的にオフすることを回避し、故障個所のみの不点灯処理をすることで、ユーザーが安心して視聴可能とするとともに、蛍光管故障の故障履歴を記録し必要に応じて履歴情報をＯＳＤに表示することを提供するものである。
【００１１】
【課題を解決するための手段】
本発明の請求項１においては、複数の蛍光管を有し表示装置の背面から照明するバックライト装置を有する表示装置であって、各蛍光管を駆動する複数の蛍光管駆動回路と、各蛍光管の故障を検出する複数の故障検出回路と、蛍光管の故障情報を記録するメモリとを具備し、蛍光管の故障発生時に故障蛍光管を特定する情報を該メモリに記録することを特徴とする。
【００１２】
本発明の請求項２においては、請求項１記載の表示装置において、蛍光管の故障を検出すると該当する蛍光管駆動回路のみをオフすることを特徴とする。
【００１３】
本発明の請求項３においては、請求項１又は２に記載の表示装置において、カレンダー機能を有する時計部を具備し、蛍光管の故障発生時に故障蛍光管を特定する情報とその故障発生日時を特定する情報を該メモリに記録することを特徴とする。
【００１４】
本発明の請求項４においては、請求項３に記載の表示装置において、該メモリに記録する故障情報は、故障蛍光管を特定する情報とその故障発生日時であることを特徴とする。
【００１５】
本発明の請求項５においては、請求項３に記載の表示装置において、該メモリに記録する故障情報は、故障蛍光管を特定する情報とその故障発生から経過時間であることを特徴とする。
【００１６】
本発明の請求項６においては、請求項１乃至５に記載の表示装置において、リモコンシステムと、リモコン及びまたは表示装置本体上の故障履歴呼び出しボタンと、テキスト及びまたはキャラクタなどを表示するＯＳＤ表示回路を具備し、該故障履歴呼び出しボタン操作にて表示装置に少なくとも故障蛍光管を特定できる情報及び又は故障発生の日時を特定できる情報を表示することを特徴とする。
【００１７】
【発明の実施の形態】
本発明の実施形態としてランプ保護回路搭載の液晶表示装置について図１、図２とともに説明する。
【００１８】
図１は液晶表示装置の映像信号処理とバックライト部のブロック図を表す。
【００１９】
図１において、１は入力映像信号から輝度信号と色信号を分離するＹ／Ｃ分離回路で、分離出力は各種信号処理を行うビデオ／クロマ回路２へ入力される。３はビデオ／クロマ回路２から出力される映像信号をデジタル映像信号に変換するＡ／Ｄコンバータで、液晶パネルコントローラ４はＡ／Ｄコンバータ３からのデジタル映像信号とマイコン６からのタイミング信号を基に、液晶パネル７を駆動する。
【００２０】
１１は液晶表示装置各部に電源を供給する電源回路で、蛍光管駆動回路９ａ、９ｂ・・・９ｎは電源回路１１からの電源電圧とマイコン６からの所定のタイミング信号を基にバックライト１０を駆動する。
【００２１】
８ａ、８ｂ・・・８ｎはバックライト故障検出回路で、バックライト１０の故障検出時には故障情報をマイコン６に出力し、マイコン６は故障情報を不揮発性メモリ５に記録する。１２はカレンダー機能を有する時計部である。
【００２２】
尚、ここでバックライト１０は複数の蛍光管にて構成されており、各蛍光管に対して蛍光管駆動回路９ａ、９ｂ・・・９ｎと故障検出回路８ａ、８ｂ・・・８ｎが設けられている。
【００２３】
バックライト故障検出の動作に関し図１、図２とともに説明する。尚、前述のようにバックライト１０は複数の蛍光管にて構成されており、１つの蛍光管に対しての故障検出動作を代表的に説明とする。また、複数の蛍光管の装着位置が分かるように装着位置番号に該当する蛍光管番号が付与されているものとする。
【００２４】
先ず、ステップ１（以下ＳＴ１と略記する）にて液晶表示装置の電源がオンされると、ＳＴ２としてマイコン６はエラー検出ポートにて故障検出回路８ｉの出力が１秒間“Ｈ”か、どうかを判定する。
【００２５】
１秒間“Ｈ”が検出されるとＳＴ３としてマイコン６はエラーカウントを＋１とする。そしてマイコン６では故障検出回路８ｉの出力が１秒間“Ｈ”であることを検出するごとにエラーカウントを１だけ累積加算する。その結果、ＳＴ４としてランプエラーの累積値が４以上かどうかを判定する。
【００２６】
ＳＴ４においてランプエラーの累積値が４以下の場合は、ＳＴ２に戻り、マイコン６はエラー検出ポートにて故障検出回路８ｉの出力が１秒間“Ｈ”か、どうかを判定する。
【００２７】
ランプエラーの累積値が４以上の場合、マイコン６はＳＴ５として該当する蛍光管番号の蛍光管駆動回路９ｉを強制的にオフし、ＳＴ６として時計部１２からの日時情報とエラーとなった蛍光管の蛍光管番号を不揮発性メモリ５に記録する。
【００２８】
ここで強制的に蛍光管駆動回路９ｉをオフする理由としては、高圧で駆動するランプに異常が生じた時に通電状態が続いた場合に危険なためである。
【００２９】
この場合、蛍光管は正常であっても、電源オン時の表示液晶の負荷状態により、蛍光管駆動電圧が低くなる場合も想定し、ランプエラー検出１回で蛍光管駆動回路９ｉのオフ状態維持フラグを立てずに、４回まではランプエラー検出を行うように設定してある。
【００３０】
ＳＴ２で故障検出回路８ｉの出力として“Ｈ”が１秒間続かない場合は、ＳＴ９としてマイコン６はエラーカウントの累積値が１以上かを判定する。ランプエラーの累積値が０の場合はＳＴ１３として通常動作に入る。ランプエラーの累積値が１以上の場合は、マイコン６はＳＴ１０として３分後再度ランプエラー検出ポートをチェックする。
【００３１】
ＳＴ１１としてマイコン６はランプエラー検出ポートが１秒間“Ｌ”か、どうかを判定する。“Ｌ”が１秒間続く場合は、マイコン６はＳＴ２０として、ランプエラーカウントを０にクリアーしＳＴ１３として通常動作に入る。“Ｌ”が１秒に満たない場合は、ＳＴ１３としてそのまま通常動作に入る。
【００３２】
このようにＳＴ９からＳＴ１２に示すように、ランプエラーの累積回数が存在している場合でも、１度正常な動作をした場合は今までのランプエラーの累積はバックライト駆動電圧が低い等によるもので、蛍光管自体は正常と判断し、ランプエラー回数をクリアーする制御を行なうことで、無闇に蛍光管駆動回路９ｉをオフ状態にならないように構成されている。
【００３３】
ＳＴ７としてリモコン１４の履歴表示ボタンからの履歴表示要求が出されると、履歴表示要求信号はリモコン受信部１４で復調されマイコン６に入力される。マイコン６は履歴表示要求信号を受けてＳＴＥＰ８として不揮発性メモリ５から履歴情報を読み出し、ＯＳＤ表示部１３を制御して液晶パネル７に不良蛍光管の番号と不良発生日時を表示する。
【００３４】
以上のように、本発明はバックライトを有する表示装置において、装置の安全性を維持しつつ表示装置の視聴を可能にするとともに、履歴を記録し必要に応じて履歴情報をＯＳＤに表示することで修理・サービスの効率を改善する発明である。
【００３５】
尚、本実施例では蛍光管駆動回路９ａ、９ｂ・・・９ｎを強制的にオフ状態に移行させる判定回数を４回と設定しているが、システム構成により適宜設定可能であり、４回に限定されるものではない。
【００３６】
また、履歴に関するＯＳＤ表示方法はテキストやキャラクタの色を変えたり、表示点滅させたり、故障蛍光管が交換されるまで表示継続させたり、数秒間の表示後に表示消去したりなど、従来技術として用いられているいろいろな表示方法が可能である。
【００３７】
【発明の効果】
本発明によれば、数回の故障チェックを行うことで無闇に蛍光管駆動回路を強制的にオフすることを回避し、故障個所のみの不点灯処理することで、ユーザーが安心して視聴可能とするとともに、蛍光管故障の故障履歴を記録し、必要に応じて履歴情報をＯＳＤに表示することで修理・サービスの効率を改善することが可能となる。
【図面の簡単な説明】
【図１】本発明の実施形態における液晶表示装置のブロック図。
【図２】本発明の実施形態における液晶表示装置のフローチャート。
【符号の説明】
１　Ｙ／Ｃ分離回路
２　ビデオ／クロマ回路
３　Ａ／Ｄコンバータ
４　液晶パネルコントローラ
５　不揮発性メモリ
６　マイコン
７　液晶パネル
８ａ、８ｂ・・・８ｎ　故障検出回路
９ａ、９ｂ・・・９ｎ　蛍光管駆動回路
１０　バックライト
１１　電源回路
１２　時計部
１３　ＯＳＤ表示回路
１４　リモコン受信部
１５　リモコン
【図１】
2004053988.tif 000003
【図２】
2004053988.tif 000004